(57)【要約】【課題】  旗部分が旗棒部分に絡むのを防止することができ、かつ、旗部分のなびきが不自然となることがない旗を提供する。【解決手段】  旗１は、旗部分２と、その旗部分２の一辺２ａ側を支持する旗棒部分３とからなる。ここで、旗部分２は、旗棒部分３の軸回り方向に回転可能に支持される。そして、旗部分２には、湾曲可能で、かつ、復元力を備えた線状部材からなる絡み防止部材４が配備される。この絡み防止部材４は、旗部分２の前記一辺２ａ側に位置する基端部４ａが旗棒部分３に回動自在に支持されて、旗棒部分３の軸回り方向に回転可能となっている。【選択図】  図１
2007034084.tif 000002
【特許請求の範囲】
【請求項１】
旗部分と、その旗部分の一辺側を支持するとともに、基端側に握り部を有する旗棒部分とを備え、
前記旗部分は、前記旗棒部分の軸回り方向に回転可能に、かつ、前記旗棒部分から抜けることがないように、その旗棒部分に支持されるとともに、
前記旗部分には、湾曲可能で、かつ、復元力を備えた線状部材または帯状部材からなる絡み防止部材が配備され、
その絡み防止部材は、前記旗部分の前記一辺側に位置する基端部が前記旗棒部分に直接あるいは間接的に回動自在に支持されて、前記旗棒部分の軸回り方向に回転可能となっていることを特徴とする旗。
【請求項２】
前記旗部分の前記一辺側には、前記旗棒部分が遊びをもって挿通もしくは挿入される筒部材が設けられ、
前記旗棒部分には、前記筒部材の端面と当接することで、その筒部材の、前記旗棒部分の軸心方向への移動を規制する規制部が設けられていることを特徴とする、請求項１に記載の旗。
【請求項３】
前記旗部分は、前記一辺側に、前記旗棒部分が遊びをもって通される、旗棒通し部を有し、
前記筒部材は、前記旗棒通し部の内側に設けられていることを特徴とする、請求項２に記載の旗。
【請求項４】
前記筒部材は、少なくとも、前記旗棒部分の先端側に位置する先端筒部材と、前記旗棒部分の基端側に位置する基端筒部材とからなることを特徴とする、請求項３に記載の旗。
【請求項５】
前記先端筒部材は、前記旗棒部分の先端部が突き出ないように、その一方側が閉塞されており、
前記規制部は、前記基端筒部材の、前記旗棒部分の先端側に位置する端面と当接することで、前記基端筒部材の前記移動を規制し得るように、前記旗棒部分の基端側に設けられていることを特徴とする、請求項４に記載の旗。
【請求項６】
前記旗棒通し部は、前記旗棒部分の先端部が突き出ないように、前記旗棒部分の先端側に位置する、一方側が閉塞されており、
前記筒部材は、少なくとも、前記旗棒部分の基端側に位置する基端筒部材からなり、
前記規制部は、前記基端筒部材の、前記旗棒部分の先端側に位置する端面と当接することで、前記基端筒部材の前記移動を規制し得るように、前記旗棒部分の基端側に設けられていることを特徴とする、請求項３に記載の旗。
【請求項７】
前記絡み防止部材は、その基端部に形成された輪状あるいは筒状の挿通部に前記旗棒部分が遊びをもって挿通されることで、前記基端部が前記旗棒部分に回動自在に直接支持されて、前記旗棒部分の軸回り方向に回転可能となっていることを特徴とする、請求項１、４、５および６のいずれか１項に記載の旗。
【請求項８】
前記絡み防止部材は、その基端部に形成された輪状あるいは筒状の挿通部に前記旗棒部分が遊びをもって挿通されることで、前記基端部が前記旗棒部分に回動自在に直接支持されて、あるいは、前記基端部が前記筒部材に固定されることで、前記基端部が前記旗棒部分に間接的に回動自在に支持されて、前記旗棒部分の軸回り方向に回転可能となっていることを特徴とする、請求項２または３に記載の旗。
【請求項９】
前記絡み防止部材は、前記旗棒部分の軸心方向において互いに離間位置するように、複数設けられること特徴とする、請求項１ないし８のいずれか１項に記載の旗。
【請求項１０】
前記絡み防止部材は、前記基端部が前記旗棒部分の中間部に位置し、かつ、先端側ほど前記旗棒部分の基端寄りに位置するように、前記旗棒部分に対して斜めに延びていることを特徴とする、請求項１ないし９のいずれか項に記載の旗。
【請求項１１】
前記絡み防止部材は、先端側が基端側よりも曲げに対する剛性が低いことを特徴とする、請求項１ないし１０のいずれか１項に記載の旗。
【請求項１２】
前記絡み防止部材は、ワイヤーロープからなることを特徴とする、請求項１ないし１０のいずれか１項に記載の旗。
【発明の詳細な説明】
【技術分野】
【０００１】
この発明は、旗部分が旗棒部分に絡みつくのを防ぐことができる旗に関するものである。
【背景技術】
【０００２】
従来、例えば、道路等の工事現場において、通行車両に注意を促すために、人やロボットが旗振りを行うことがあった。このような場面で使用される旗としては、図７に示されるものがあった。この旗１００は、旗部分１０１と、その旗部分１０１を支持する旗棒部分１０２とを備えていた。ここで、旗部分１０１の一辺には、旗棒部分１０２が挿入される袋状部１１０が形成され、その袋状部１１０の一端には、旗部分１０１が旗棒部分１０２から抜けることがないように、その旗棒部分１０２に結びつけることができる紐１１１が設けられていた。そして、旗棒部分１０２を袋状部１１０に挿入して、紐１１１を旗棒部分１０２に結びつけることで、旗部分１０１は、旗棒部分１０２から抜けることなく支持されて、旗１００を振ることができた。
【０００３】
しかしながら、上記した従来の旗１００を振っていると、旗部分１０１が旗棒部分１０２に絡みついたまま広がらなくなってしまうことがあった。このように、旗部分１０１が旗棒部分１０２に絡みついたままの状態であると、通行車両に注意を促すことの妨げとなるので、旗１００を振るのをやめて絡みつきを解除しなければならなかった。
【０００４】
この問題を解決するためのものとしては、図８に示されるような、骨部材２０３を備えた旗２００があった（例えば、特許文献１参照）。この旗２００は、旗部分２０１と、その旗部分２０１の一辺を支持する旗棒部分２０２とを備えていた。そして、旗部分２０１には、その旗部分２０１が旗棒部分２０２に絡みつくのを避けるべく、骨部材２０３が設けられ、その骨部材２０３の一端は、旗棒部分２０２に固定されていた。そして、この旗２００を振ると、骨部材２０３が旗部分２０１を広げた状態を維持しようとするため、旗部分２０１が旗棒部分２０２に絡みつくのを防ぐことができた。
【特許文献１】特開２００５−１４８０８２（図２）
【発明の開示】
【発明が解決しようとする課題】
【０００５】
しかしながら、このように、旗部分２０１に設けられた骨部材２０３の一端が、旗棒部分２０２に固定されていると、旗棒部分２０２に対して、旗部分２０１が自由に向きを変えることができず、旗２００を振ったときの、旗部分２０１のなびきが不自然とならざるを得なかった。
【０００６】
この発明は、上記した従来の欠点を解決するためになされたものであり、その目的とするところは、旗部分が旗棒部分に絡むのを防止することができ、かつ、旗部分のなびきが不自然となることがない旗を提供することにある。
【課題を解決するための手段】
【０００７】
この発明に係る旗は、前記目的を達成するために、次の構成からなる。すなわち、
請求項１に記載の発明に係る旗は、旗部分と、その旗部分の一辺側を支持するとともに、基端側に握り部を有する旗棒部分とを備える。そして、前記旗部分は、前記旗棒部分の軸回り方向に回転可能に、かつ、前記旗棒部分から抜けることがないように、その旗棒部分に支持されるとともに、前記旗部分には、湾曲可能で、かつ、復元力を備えた線状部材または帯状部材からなる絡み防止部材が配備され、その絡み防止部材は、前記旗部分の前記一辺側に位置する基端部が前記旗棒部分に直接あるいは間接的に回動自在に支持されて、前記旗棒部分の軸回り方向に回転可能となっている。
【０００８】
これによれば、旗部分には、湾曲可能で、しかも復元力を備えた、線状部材または帯状部材からなる絡み防止部材が配備されており、この旗部分に配備された絡み防止部材により、旗部分が折れ曲がり難く、この旗部分が旗棒部分に重なり難くなる。そして、このように、旗部分には、絡み防止部材が配備されるものの、その絡み防止部材は、旗部分とともに、旗棒部分の軸回り方向に回転可能となっているため、旗を振ったときに、絡み防止部材を含む旗部分が旗棒部分の軸回りに自由に回転する。したがって、この旗部分のなびきが不自然となることがない。その上、こうして、絡み防止部材を含む旗部分が旗棒部分の軸回りに自由に回転することから、この旗部分は、旗棒部分に一層重なり難い。
【０００９】
また、請求項２に記載の発明に係る旗のように、請求項１に記載の旗において、前記旗部分の前記一辺側には、前記旗棒部分が遊びをもって挿通もしくは挿入される筒部材が設けられ、前記旗棒部分には、前記筒部材の端面と当接することで、その筒部材の、前記旗棒部分の軸心方向への移動を規制する規制部が設けられていてもよい。これによれば、筒部材が、規制部によって、前記旗棒部分の軸心方向への移動を規制されることで、旗部分は、旗棒部分から抜けることなく、その旗棒部分に支持される。
【００１０】
また、請求項３に記載の発明に係る旗のように、請求項２に記載の旗において、前記旗部分は、前記一辺側に、前記旗棒部分が遊びをもって通される、旗棒通し部を有し、前記筒部材は、前記旗棒通し部の内側に設けられてもよい。
【００１１】
また、請求項４に記載の発明に係る旗のように、請求項３に記載の旗において、前記筒部材は、少なくとも、前記旗棒部分の先端側に位置する先端筒部材と、前記旗棒部分の基端側に位置する基端筒部材とからなってもよい。
【００１２】
また、請求項５に記載の発明に係る旗のように、請求項４に記載の旗において、前記先端筒部材は、前記旗棒部分の先端部が突き出ないように、その一方側が閉塞されており、前記規制部は、前記基端筒部材の、前記旗棒部分の先端側に位置する端面と当接することで、前記基端筒部材の前記移動を規制し得るように、前記旗棒部分の基端側に設けられていてもよい。このように、先端筒部材の一方側が閉塞されていることにより、旗部分は、旗棒部分の軸心方向の一方向としての、旗棒部分の先端側から基端側に向かう方向へは移動しない。また、規制部と、基端筒部材の、旗棒部分の先端側に位置する端面とが当接することにより、基端筒部材は、旗棒部分の軸心方向の他方向としての、旗棒部分の基端側から先端側に向かう方向への移動が規制される。したがって、旗部分は、旗棒部分から抜けることなく、その旗棒部分に支持される。
【００１３】
また、請求項６に記載の発明に係る旗のように、請求項３に記載の旗において、前記旗棒通し部は、前記旗棒部分の先端部が突き出ないように、前記旗棒部分の先端側に位置する、一方側が閉塞されており、前記筒部材は、少なくとも、前記旗棒部分の基端側に位置する基端筒部材からなり、前記規制部は、前記基端筒部材の、前記旗棒部分の先端側に位置する端面と当接することで、前記基端筒部材の前記移動を規制し得るように、前記旗棒部分の基端側に設けられていてもよい。このように、旗棒通し部の一方側が閉塞されているので、旗部分は、旗棒部分の軸心方向の一方向としての、旗棒部分の先端側から基端側に向かう方向へは移動しない。また、規制部と、基端筒部材の、旗棒部分の先端側に位置する端面とが当接することにより、基端筒部材は、旗棒部分の軸心方向の他方向としての、旗棒部分の基端側から先端側に向かう方向への移動が規制される。したがって、旗部分は、旗棒部分から抜けることなく、その旗棒部分に支持される。
【００１４】
また、請求項７に記載の発明に係る旗のように、請求項１、４、５および６のいずれか１項に記載の旗において、前記絡み防止部材は、その基端部に形成された輪状あるいは筒状の挿通部に前記旗棒部分が遊びをもって挿通されることで、前記基端部が前記旗棒部分に回動自在に直接支持されて、前記旗棒部分の軸回り方向に回転可能となってもよい。
【００１５】
また、請求項８に記載の発明に係る旗のように、請求項２または３に記載の旗において、前記絡み防止部材は、その基端部に形成された輪状あるいは筒状の挿通部に前記旗棒部分が遊びをもって挿通されることで、前記基端部が前記旗棒部分に回動自在に直接支持されて、あるいは、前記基端部が前記筒部材に固定されることで、前記基端部が前記旗棒部分に間接的に回動自在に支持されて、前記旗棒部分の軸回り方向に回転可能となってもよい。
【００１６】
また、請求項９に記載の発明に係る旗のように、請求項１ないし８のいずれか１項に記載の旗において、前記絡み防止部材は、前記旗棒部分の軸心方向において互いに離間位置するように、複数設けられてもよい。
【００１７】
また、請求項１０に記載の発明に係る旗のように、請求項１ないし９のいずれか１項に記載の旗において、前記絡み防止部材は、前記基端部が前記旗棒部分の中間部に位置し、かつ、先端側ほど前記旗棒部分の基端寄りに位置するように、前記旗棒部分に対して斜めに延びていてもよい。これにより、旗部分の先端側においては、その上部が絡み防止部材に拘束されず、旗を振ったときの旗部分の上部のなびきが自然な状態となる。
【００１８】
また、請求項１１に記載の発明に係る旗のように、請求項１ないし１０のいずれか１項に記載の旗において、前記絡み防止部材は、先端側が基端側よりも曲げに対する剛性が低くなっていてもよい。これにより、旗を振ったときの旗部分のなびきを自然に近い状態に保つことができる。
【００１９】
また、請求項１２に記載の発明に係る旗のように、請求項１ないし１０のいずれか１項に記載の旗において、前記絡み防止部材は、ワイヤーロープからなってもよい。
【発明の効果】
【００２０】
以上、詳述したところから明らかなように、この発明に係る旗によれば、旗部分に配備された絡み防止部材により、旗部分が折れ曲がり難く、この旗部分が旗棒部分に重なり難くなるため、旗を振ったときに、旗部分が旗棒部分に絡むのを防止することができる。しかも、このように、旗棒部分に絡み防止部材が配備されるにも関わらず、旗を振ったときに、絡み防止部材を含む旗部分が旗棒部分の軸回りに自由に回転するため、旗部分のなびきが不自然となることがない。
【発明を実施するための最良の形態】
【００２１】
以下、この発明に係る旗を実施するための最良の形態について説明する。
【００２２】
図１ないし図３は、本発明の第１の実施の形態を示す。図中符号１は、例えば、道路の工事現場等において、人やロボット等によって振られる旗である。この旗１は、旗部分２と、その旗部分２の一辺２ａ側を支持するとともに基端側に握り部３ｂを有する旗棒部分３とを備える。そして、旗部分２には、その旗部分２の表面に沿って絡み防止部材４が配備されている。ここで、旗部分２は、旗棒部分３の軸回り方向に回転可能に、かつ、旗棒部分３から抜けることがないように、その旗棒部分３に支持されている。また、絡み防止部材４は、旗部分２の前記一辺２ａ側に位置する基端部４ａが旗棒部分３に直接あるいは間接的に回動自在に支持されて、旗棒部分３の軸回り方向に回転可能となっている。
【００２３】
詳細には、旗棒部分３は、旗部分２の前記一辺２ａ側を支持する支持棒部３ａと、前記握り部３ｂとからなる。支持棒部３ａは、例えば、合成樹脂製等の中空棒材からなる。握り部３ｂは、例えば、木製あるいは合成樹脂製等の中実棒材からなり、その一端が前記支持棒部３ａ内に差し込まれるようにして支持棒部３ａに取り付けられている。また、旗棒部分３、詳しくは、前記支持棒部３ａには、後述する筒部材５の端面と当接することで、その筒部材５の、前記旗棒部分３の軸心方向への移動を規制する規制部３０が設けられている。図示実施の形態においては、規制部３０は、後述する基端筒部材５１（詳しくは、後述する第２の基端筒部材５１ｂ）の、前記旗棒部分３の先端側に位置する端面と当接することで、前記基端筒部材５１の、旗棒部分３の軸心方向への移動（詳しくは、後述する旗棒部分３の軸心方向の他方向としての、旗棒部分３の基端側から先端側に向かう方向への移動）を規制し得るように、前記旗棒部分３の基端側、詳しくは、前記支持棒部３ａの基端部に、鍔状に設けられている。
【００２４】
旗部分２は、合成樹脂製あるいは布製等の、布地またはシート地等からなる。この旗部分２は、矩形形状をしており、前記一辺２ａ側には、旗棒部分３（詳しくは、支持棒部３ａ）が遊びをもって挿通もしくは挿入される筒部材５が設けられている。
【００２５】
具体的には、旗部分２は、前記一辺２ａ側に旗棒通し部２１ａを有し、詳しくは、前記一辺２ａ側が巻かれるようにして形成されて、旗棒部分３（詳細には、支持棒部３ａ）が遊びをもって通される、旗棒通し部２１を有する。そして、旗棒通し部２１は、旗棒部分３（詳細には、支持棒部３ａ）の先端部が突き出ないように、旗棒部分３（詳細には、支持棒部３ａ）の先端側に位置する、一方側（上方側）が閉塞されている（図２参照）。図示実施の形態においては、旗棒通し部２１には、中間部の２箇所（絡み防止部材４の後述する挿通部４ｂに対応する箇所）と、他方側（下方側）の端部の１箇所（旗棒通し部２１に支持棒部３ａが通された際に、その支持棒部３ａの前記規制部３０に対応する箇所）とに隙間２１ａ、２１ａが設けられている（図１参照）。
【００２６】
また、旗部分２には、前記旗棒通し部２１に沿って、例えば、布製からなる、帯状の補強材２ｂが取り付けられている。さらに、旗部分２には、前記旗棒通し部２１近辺（図示実施の形態においては、前記補強材２ｂを挟んで、前記旗棒通し部２１の隙間２１ａ、２１ａと対面する部分）から、前記旗部分２の、前記一辺２ａと対向する他の辺２ｃ側に延びるとともに、前記旗棒通し部２１の延びる方向（図１の上下方向）において、互いに離れるように、２つの袋状部２２、２２が形成されている。ここで、袋状部２２は、前記他の辺２ｃ側ほど下方寄りとなるように、旗棒通し部２１に対して斜めに延びている。
【００２７】
筒部材５は、少なくとも、旗棒部分３の基端側（詳細には、支持棒部３ａの基端部）に位置する基端筒部材５１からなる。図示実施の形態においては、筒部材５は、前記基端筒部材５１のみからなり、この基端筒部材５１は、第１の基端筒部材５１ａと、第２の基端筒部材５１ｂとからなっている。第１および第２の基端筒部材５１ａ、５１ｂは、例えば、合成樹脂製であって、内径が前記旗棒部分３の支持棒部３ａの外径よりも大きくなっている。そして、これら第１および第２の基端筒部材５１ａ、５１ｂは、旗棒通し部２１の前記他方側（下方側）の隙間２１ａの両側に並ぶようにして、旗棒通し部２１の内側に設けられている。すなわち、前記第１および第２の基端筒部材５１ａ、５１ｂは、支持棒部３ａが旗棒通し部２１に通された際に、前記第１の基端筒部材５１ａが支持棒部３ａの規制部３０より先端側に位置し、前記第２の基端筒部材５１ｂが規制部３０よりも基端側に位置するように、前記旗通し部２１の内側に設けられている。これにより、前記規制部３０は、第１の基端筒部材５１ａの、前記旗棒部分３の基端側に位置する端面（図１においては、下面）、および、第２の基端筒部材５１ｂの、前記旗棒部分３の先端側に位置する端面（図１においては、上面）と当接することが可能となっている。
【００２８】
絡み防止部材４は、例えば、合成樹脂製とか金属製等の、湾曲可能で、かつ、復元力を備えた線状部材または帯状部材からなる。図示実施の形態においては、絡み防止部材４は、線状部材、特に、ステンレス製等のワイヤーロープからなる。また、絡み防止部材４はその基端部４ａに、前記支持棒部３ａの径よりも大きな内径を有する、輪状あるいは筒状の挿通部４ｂが形成されている。具体的には、図３に示すように、絡み防止部材４は、一本のワイヤーロープの約２／３の長さのところに輪状の挿通部４ｂをつくるように曲げ返されて、止め具４ｃで止められて形成されている。これにより、絡み防止部材４は、基端側が２本のワイヤーロープで構成され、先端側が１本のワイヤーロープで構成されることとなり、先端側が基端側よりも曲げに対する剛性が低くなっている。
【００２９】
そして、この絡み防止部材４は、旗部分２の袋状部２２、２２のそれぞれに挿入されるようにして、旗部分２に２つ取り付けられる。すなわち、絡み防止部材４は、旗棒部分３の軸心方向において、互いに離間位置するように、複数（２つ）設けられるとともに、基端部４ａが旗棒部分３の中間部に位置し、かつ、先端側ほど旗棒部分３の基端寄りに位置するように、前記旗棒部分３に対して斜めに延びることとなる。そして、絡み防止部材４の挿通部４ｂに旗棒部分３（詳細には、支持棒部３ａ）が遊びを持って挿通されることで、絡み防止部材４は、その基端部４ａが旗棒部分３（詳細には、支持棒部３ａ）に回動自在に直接支持されて、旗棒部分３の軸回り方向に回転可能となっている。
【００３０】
次に、以上の構成からなる旗１の作用効果について説明する。この旗１によると、旗部分２には、湾曲可能で、しかも復元力を備えた、線状部材または帯状部材（図示実施の形態においては線状部材）からなる絡み防止部材４が配備されている。この旗部分２に配備された絡み防止部材４により、旗部分２が折れ曲がり難く、この旗部分２が旗棒部分３に重なり難くなっており、旗１を振ったときに、旗部分２が旗棒部分３に絡むのを防止することができる。そして、このように、旗部分２には、絡み防止部材４が配備されるものの、その絡み防止部材４は、旗部分２とともに、旗棒部分３の軸回り方向に回転可能となっていることから、旗１を振ったときに、絡み防止部材４を含む旗部分２が旗棒部分３の軸回りに自由に回転する。したがって、この旗部分２のなびきが不自然となることがない。その上、こうして、絡み防止部材４を含む旗部分２が旗棒部分３の軸回りに自由に回転することから、この旗部分２は、旗棒部分３に一層重なり難く、旗１を振ったときに、旗部分２が旗棒部分３に絡むのを一層確実に防止することができる。
【００３１】
また、絡み防止部材４は、先端側が基端側よりも曲げに対する剛性が低くなっている。このため、旗１を振ったときの旗部分２のなびきを自然に近い状態に保つことができる。しかも、絡み防止部材４は、その基端部４ａが旗棒部分３の中間部に位置し、かつ、先端側ほど旗棒部分３の基端寄りに（すなわち、下方に）位置するように、旗棒部分３に対して斜めに延びている。このことから、旗部分２の先端側においては、その上部が絡み防止部材４に拘束されず、旗１を振ったときの旗部分２の上部のなびきが自然な状態となる。
【００３２】
また、旗棒通し部２１の、旗棒部分３の先端側に位置する、一方側が閉塞されているので、旗部分２は、旗棒部分３の先端側から基端側に向かう方向（旗棒部分３の軸心方向の一方向）に移動しない。さらに、旗部分２の一辺２ａ側に設けられた筒部材５が、旗棒部分３に設けられた規制部３０によって、旗棒部分３の軸心方向への移動を規制される。詳しくは、規制部３０と、基端筒部材５１としての第２の基端筒部材５１ｂの、前記旗棒部分３の先端側に位置する端面（図１においては、上面）とが当接することで、前記第２の基端筒部材５１ｂの、前記旗棒部分３の基端側から先端側に向かう方向（旗棒部分３の軸心方向の他方向）への移動が規制される。（図示実施の形態においては、規制部３０と、基端筒部材５１としての第１の基端筒部材５１ａの、前記旗棒部分３の基端側に位置する端面とが当接することで、前記第１の基端筒部材５１ａの、前記旗棒部分３の先端側から基端側に向かう方向への移動も規制される。）したがって、旗部分２は、旗棒部分３から抜けることなく、その旗棒部分３に支持される。そして、この実施の形態においては、規制部３０は、支持棒部３ａの基端部に設けられ、また、筒部材５は、旗棒部分３の基端側に位置する基端筒部材５１（第１および第２の基端筒部材５１ａ、５１ｂ）のみからなることから、旗１の先端側の重量が軽くなり、旗１の重心位置が旗棒部分３の握り部３ｂ寄りとなるので、旗１を振り易くなっている。ところで、図示実施の形態においては、基端筒部材５１は、第１の基端筒部材５１ａおよび第２の基端筒部材５１ｂからなっているが、前記第１の基端筒部材５１ａは省略されても構わない。
【００３３】
図４は、本発明の第２の実施の形態を示す。この第２の実施の形態の旗１においては、旗棒部分３は、支持棒部３ａと、握り部３ｂとが中空棒材によって一体に形成されている。なお、支持棒部３は、支持棒部３ａと、握り部３ｂとが中実棒材によって一体に形成されてもよいし、第１の実施の形態と同様に、中空棒材からなる支持棒部３ａと、中実部材からなる握り部３ｂとからなっても構わない。
【００３４】
旗部分２は、その一辺２ａ側に、旗棒部分３が遊びをもって通される、旗棒通し部２１を有する。旗棒通し部２１は、前記旗部分２の前記一辺２ａ側が巻かれるように、詳細には、前記旗部分２の前記一辺２ａが折り返され、その折り返された部分の先端部分が縫着されるようにして形成されている。この旗棒通し部２１は、旗棒部分３（詳細には、支持棒部３ａ）の先端部が突き出ないように、旗棒部分３の先端側に位置する、一方側（上方側）が閉塞されている。そして、旗棒通し部２１の前記一方側（上方側）の端部部分には、補強材２２が設けられてる。また、旗棒通し部２１には、第１の実施の形態と同様に、中間部の２箇所と、他方側（下方側）の１箇所とに隙間２１ａ、２１ａが設けられている。
【００３５】
筒部材５は、旗棒部分３の先端側に位置する先端筒部材５２と、旗棒部分３の基端側に位置する基端筒部材５１と、前記先端筒部材５２および基端筒部材５１の間に位置する中間筒部材５３、５３とからなっている。そして、これら先端筒部材５１、基端筒部材５２および中間筒部材５３、５３は、前記旗棒通し部２１の内側に設けられている。ここで、規制部３０は、基端筒部材５１の、旗棒部分３の先端側に位置する端面（図４においては、上面）と当接することで、前記基端筒部材５１の、前記旗棒部分３の軸心方向への移動、すなわち、前記旗棒部分３の基端側から先端側に向かう方向への移動を規制し得るように、前記旗棒部分３の基端側における、前記基端筒部材５１よりも先端側に位置する部分に設けられている。この実施の形態のように、筒部材５が複数備わる場合であっても、規制部３０は、一つであってもよい。すなわち、規制部３０は、筒部材５が複数備わる場合であっても、そのすべての筒部材５と当接し得るように設けられる必要はない。
【００３６】
絡み防止部材４は、第１の実施の形態と同様に、湾曲性および復元力を備えた線状部材としての、ステンレス製等のワイヤーロープからなり、その基端部４ａに、輪状の挿通部４ｂが形成されている。この挿通部４ｂに旗棒部分３（詳細には、支持棒部３ａ）が遊びをもって挿通されることで、絡み防止部材４は、その基端部４ａが旗棒部分３（詳細には、支持棒部３ａ）に回動自在に直接支持されて、旗棒部分３の軸回り方向に回転可能となっている。そして、この絡み防止部材４は、旗部分２の袋状部２２、２２のそれぞれに挿入されるようにして、旗部分２に２つ取り付けられている。図示実施の形態においては、絡み防止部材４、４は、旗棒部分３の軸心方向において、互いに離間位置するとともに、互いに平行し、さらには、旗棒部分３に対して斜めに延びている。
【００３７】
なお、本発明は、上述した実施の形態に限定されるわけではなく、その他種々の変更が可能である。例えば、筒部材５は、図５に示すように、旗棒部分３の先端側に位置する先端筒部材５２と、基端筒部材５１とからなってもよい。ここにおいて、規制部３０は、先端筒部材５２と基端筒部材５１とのそれぞれを挟むように設けられているが、この先端筒部材５２を挟む規制部３０に代えて、この先端筒部材５２は、旗棒部分３の先端部が突き出ないように、その一方側（上方側）が閉塞されてもよい。
【００３８】
また、絡み防止部材４、４は、旗棒部分３に対して斜めに延びなくとも、この図５に示すように、旗棒部分３に対して直交するように延びても構わない。
【００３９】
また、筒部材５は、旗部分２の一辺２ａに沿う一部に設けられなくとも、図６に示すように、旗部分２の一辺２ａに沿うの全体に渡って設けられてもよい。ここにおいて、規制部３０は、この筒部材５を挟むように設けられている。また、筒部材５が、絡み防止部材４の基端部４ａに設けられた挿通部４ｂに挿通されることで、絡み防止部材４は、その基端部４ａが筒部材５に固定されている。こうして、絡み防止部材４が筒部材５に固定されることで、絡み防止部材４は、その基端部４ａが旗棒部分３に、筒部材５を介して間接的に回動自在に支持されて、旗棒部分３の軸回り方向に回転可能となる。もっとも、絡み防止部材４の基端部４ａを筒部材５に固定するにあたっては、絡み防止部材４に挿通部４ｂを設けることなく、基端部４ａを筒部材５に直接止めても構わない。
【図面の簡単な説明】
【００４０】
【図１】この発明の第１の実施の形態の、旗を示す正面図である。
【図２】同じく、図１におけるＡ−Ａ線による拡大断面図である。
【図３】同じく、絡み防止部材を示す拡大図である。
【図４】この発明の第２の実施の形態の、旗を示す正面図である。
【図５】この発明の、他の実施の形態の、旗を示す正面図である。
【図６】この発明のさらに他の実施の形態の、旗を示す正面図である。
【図７】従来の、旗を示す正面図である。
【図８】従来の、他の旗を示す正面図である。
【符号の説明】
【００４１】
１  旗
２  旗部分
２ａ  一辺
３  旗棒部分
３ｂ  握り部
４  絡み防止部材
４ａ  基端部
４ｂ  挿通部
５  筒部材
２１  旗棒通し部
３０  規制部
５１  基端筒部材
５２  先端筒部材
【図１】
2007034084.tif 000003
【図２】
2007034084.tif 000004
【図３】
2007034084.tif 000005
【図４】
2007034084.tif 000006
【図５】
2007034084.tif 000007
【図６】
2007034084.tif 000008
【図７】
2007034084.tif 000009
【図８】
2007034084.tif 000010